(57)【要約】本発明は、それぞれ長さ調整可能な末端部（４ａ、４ｂ）を有する第一及び第二の弓状アーム（３ａ、３ｂ）が突出しており、前記第一の弓状アーム（３ａ）の前記末端部（４ａ）に第一の固定要素（５ａ）が、及び前記第二の弓状アーム（３ｂ）の前記末端部（４ｂ）に第二の固定要素（５ｂ）が、それぞれティッシュボックス（７）を固定するために設けられている、弓形に形成された基体（２）と、前記基体（２）に、且つ、第一及び第二の固定要素（５ａ、５ｂ）の間に設けられ、同じく長さ調整可能な第三の固定要素（５ｃ）とを備え、前記３つの固定要素（５ａ、５ｂ、５ｃ）が、該３つの固定要素の間の領域にティッシュボックス（７）を固定可能であるように互いに配置されている保持装置（１）、特にティッシュボックス用ティッシュボックスホルダに関する。【選択図】図１
2017503697.tif 000002
【特許請求の範囲】
【請求項１】
保持装置（１）、特にティッシュボックス用のティッシュボックスホルダであって、
それぞれ長さ調整可能な末端部（４ａ、４ｂ）を有する第一及び第二の弓状アーム（３ａ、３ｂ）が突出しており、前記第一の弓状アーム（３ａ）の前記末端部（４ａ）に第一の固定要素（５ａ）が、及び前記第二の弓状アーム（３ｂ）の前記末端部（４ｂ）に第二の固定要素（５ｂ）が、それぞれティッシュボックス（７）を固定するために設けられている、弓形に形成された基体（２）と、
前記基体（２）に、且つ、第一及び第二の固定要素（５ａ、５ｂ）の間に設けられ、同じく長さ調整可能な第三の固定要素（５ｃ）と
を備え、
前記３つの固定要素（５ａ、５ｂ、５ｃ）が、該３つの固定要素の間の領域にティッシュボックス（７）を固定可能であるように互いに配置されている
保持装置。
【請求項２】
前記第三の固定要素（５ｃ）が付勢機構を含み、
前記付勢機構は、前記ティッシュボックス（７）が前記固定要素（５ａ、５ｂ、５ｃ）に固定された状態で、前記第一及び第二の固定要素（５ａ、５ｂ）を付勢する
ことを特徴とする請求項１記載の保持装置。
【請求項３】
前記３つの固定要素（５ａ、５ｂ、５ｃ）はそれぞれ固定フックとして形成されており、該３つの固定要素が前記ティッシュボックス（７）を固定するために、それぞれ前記２つの弓状アーム（３ａ、３ｂ）と前記基体（２）との共通の前面（６）から突出している
ことを特徴とする請求項１または請求項２記載の保持装置。
【請求項４】
前記３つの固定要素（５ａ、５ｂ、５ｃ）の間の仮想の連結直線が、二等辺三角形の幾何学的形状を示し、
前記第三の固定要素（５ｃ）が前記二等辺三角形の頂点を定義し、
前記二等辺三角形の２つの底角の値が最大５０°、好ましくは最大４５°、最も好ましくは最大３５°である
ことを特徴とする請求項１〜請求項３のいずれか一項に記載の保持装置。
【請求項５】
アセンブリ（１３）であって、
請求項１〜請求項４のいずれか一項に記載の保持装置（１）と、
車両シート（１０）のヘッドレストのヘッドレストバー（９）に固定可能なアダプタ要素（８）と
を備え、
前記保持装置（１）の第一の側面（６）の反対側面の第二の側面（１２）に取り付けられている第一の取付要素に対して補完的な第二の取付要素が前記アダプタ要素（８）に設けられ、前記保持装置（１）が、前記第一の取付要素によって前記第二の取付要素にクリップ接続の形で固定または取外し可能に固定可能である
アセンブリ。
【請求項６】
自動車であって、
２つのヘッドレストバー（９）を有するヘッドレストを含む少なくとも１つの車両シート（１０）と、
請求項５に記載のアセンブリ（１３）と
を備え、
前記アセンブリのアダプタ要素（８）が前記車両シート（１０）の前記ヘッドレストバー（９）に固定されている
自動車。
【発明の詳細な説明】
【技術分野】
【０００１】
本発明は、保持装置、特にティッシュボックス用ティッシュボックスホルダに関する。本発明はさらに、このような保持装置を含むアセンブリ及びこのようなアセンブリを含む自動車に関する。
【背景技術】
【０００２】
ティッシュボックスは、店舗で「ティッシュディスペンサ」という名称で入手でき、これは化粧用ティッシュペーパーを取り出すためのものであり、必要な場合にユーザは取出し開口部からティッシュペーパーを取り出すことができる。
【発明の概要】
【発明が解決しようとする課題】
【０００３】
家庭でよく使われているティッシュボックスは、簡素化のためにその幾何学的形状が直方体であることが多く、自動車の車内に置いて運ぶ際には、車内の収納スペースが限られているためにしばしば使いにくく不便である。
【０００４】
本発明の目的は、実用的な要件から快適かつ省スペースに、上述のティッシュボックスを自動車の車内に問題なく取り付けられる、保持装置を提供することである。さらに本発明の第二の目的は、そのような保持装置を備えたアセンブリを提供することである。本発明の第三の目的は、少なくとも１つのそのようなアセンブリを備えた自動車を提供することである。
【課題を解決するための手段】
【０００５】
挙げられた目的は、独立請求項の主題により達成される。好適な実施形態は従属請求項の主題である。
【０００６】
したがって本発明の基本概念は、弓形の基体を備えたティッシュボックスの保持装置を作り出すことであり、この保持装置からは、それぞれ長さ調整可能な末端部を備えた第一及び第二の弓状アームが突き出している。上述の弓状アームの長さ調整機能は、あらかじめ設定された調整領域の範囲内で保持装置の寸法を、固定すべきティッシュボックスの寸法に合わせることを可能にする。本発明の本質的部分はさらに、第一の弓状アームの末端部に備えられている第一の固定要素、及び第二の弓状アームの末端部に備えられている第二の固定要素であり、これら２つはティッシュボックスを固定する役割を果たす。２つの第一の固定要素を補完する第三の固定要素を基体に備えることで、ティッシュボックスを保持装置に安定に固定することが可能になり、その結果ティッシュボックスは３つの固定要素の間の範囲に収容され、３つの固定要素により保持され得る。それゆえに、本発明に従い、ティッシュボックスは保持装置に固定された状態で、ティッシュボックスの外側面を取り囲む３つの固定要素に支持される。
【０００７】
ここで示された保持装置が基本的にティッシュボックスの固定だけに限定されるのではなく、基本的に他の物体の固定にも適した形状を備えていること、しかし好ましくは直方体の幾何学的形状を備えていることは、この文脈において当業者には明らかである。
【０００８】
有利な実施形態に従い、少なくとも第三の固定要素は付勢機構を含んでおり、この付勢機構はティッシュボックスが固定要素に固定される状態で、第一及び第二の固定要素に対して付勢する。このようにしてティッシュボックスにかけられた付勢力は、走行中に自動車の車室内で繰り返し生じ得る振動、衝撃、および衝突が保持装置に作用した場合でも、特に確実にティッシュボックスを保持装置内に保持するという結果をもたらす。有利な発展形態では、第一及び／又は第二の固定要素にも、そのような付勢機構が備えられていてもよい。特に、第一の固定要素にも第二の固定要素にも備えられた付勢機構は、同じ作用をもたらすように形成される。すなわち両方の固定要素はこの場合連結された付勢機構を備えている。
【０００９】
得られる保持効果をさらに改善するため、３つの固定要素がそれぞれ固定フックとして形成されることが推奨される。これらのフックはティッシュボックスを固定するためにそれぞれ、２つの弓状アームと基体との共通の前面から突き出ている。それぞれ固定フックがＵ字型の形状を備えている場合、特に目的にかなっている。
【００１０】
必要なスペースに関して、３つの固定要素の間の仮想の連結直線が二等辺三角形の幾何学的形状を示す保持装置の構造的実施形態は特に好都合であり、ここでは第三の固定要素が二等辺三角形の頂点と定義される。この場合、二等辺三角形の２つの底角の値は、最大５０°、好ましくは最大４５°、最も好ましくは最大３５°である。
【００１１】
快適かつ省スペースに上述の保持装置を、ひいてはその上に固定されたティッシュボックスを、車両に固定するため、本発明ではさらに、前述の特徴を１つ又は複数備えた保持装置を含むアセンブリが提示される。さらに、このアセンブリは、車両シートのヘッドレストバーに固定可能なアダプタ要素を含んでいる。アダプタ要素は、第一の固定要素（これは保持装置の第一の側面の反対側面にある第二の側面に取り付けられている）に対して補完的な第二の固定要素を備えており、保持装置は、第一の固定要素によりクリップ接続の形で第二の固定要素に取外し可能に固定されている。
【００１２】
アダプタ要素自体は例えばピンの形に形成されていてもよく、これはやはり同様にクリップ接続を形成して上述のヘッドレストバーに固定され得る。アダプタ要素は特に、ここで示されている保持装置を固定するためとは別の、他の物体又は止め具を取り付けるために適しているように構成されていてもよい。
【００１３】
本発明は最後に、２つのヘッドレストバーを含むヘッドレストを備える少なくとも１つの車両シートを備えた自動車に関し、上述したアセンブリは、アダプタ要素により車両シートのヘッドレストバーに固定可能である。
【００１４】
本発明のその他の重要な特徴及び利点は図面を参照して従属請求項、図面、及び付随する符号の説明から明らかになる。
【００１５】
前述の、及び以下に更に記載する特徴はそのつど記載する組み合わせだけではなく、本発明の範囲を逸脱することなく別の組み合わせで、又は単独で使用できることが理解されよう。
【００１６】
図面を参照して本発明の好適な実施形態を以下の記載で詳細に説明する。その際、同一の参照符号は同一又は類似の、又は機能的に同一の部品を示す。ここでは各ケースが概略的に示されている。
【図面の簡単な説明】
【００１７】
【図１】本発明に係る保持装置の一例を示す図である。
【図２】図１の保持装置を備え、車両シートの２つのヘッドレストバーに固定された状態の、本発明に係るアセンブリの一例を示す図である。
【発明を実施するための形態】
【００１８】
図１は、本発明に係る、ティッシュボックス用保持装置１の一例を示す斜視図である。保持装置１は弓形に形成された基体２を備え、この基体から、長さ調整可能な末端部４ａ、４ｂを備えた第一及び第二の弓状アーム３ａ、３ｂがそれぞれ突出している。第一の弓状アーム３ａの末端部４ａには第一の固定要素５ａが、第二の弓状アーム３ｂの末端部４ｂには第二の固定要素５ｂが備えられており、両方とも、ティッシュボックス７（図１には示されていない。これに関しては図２参照）を固定する役割を担っている。最後に、保持装置１は、直接基体２に、及び２つの弓状アーム３ａ、３ｂの間に、長さ調整可能な第三の固定要素５ｃを含んでいる。
【００１９】
本発明の本質的部分とは、３つの固定要素５ａ、５ｂ、５ｃが、これら固定要素の間の領域にティッシュボックスが固定されるように互いに配置されていることである。その幾何学的配置の観点から、３つの固定要素５ａ、５ｂ、５ｃが仮想の二等辺三角形の角に配置されるようにしてもよい。すなわち、３つの仮想の連結直線は、３つの固定要素５ａ、５ｂ、５ｃの間に二等辺三角形を形成し、第三の固定要素５ｃによって三角形の頂点が定義される。この例の場合、二等辺三角形の２つの底角の値は、最大５０°、好ましくは最大４５°、最も好ましくは最大３５°である。一つの変形例では、２つの弓状アーム３ａ、３ｂが実質的に１３５°の角度で互いに配置されていてもよい。
【００２０】
ティッシュボックス７を保持装置１に確実に固定するため、ティッシュボックス７を３つの固定要素５ａ、５ｂ、５ｃに取り付けた状態で、第一及び第二の固定要素５ａ、５ｂを付勢する付勢機構が、第三の固定要素５ｃに備えられている。このような付勢機構は、関連する当業者には周知であり、構造的には例えば従来式のばね要素をベースにして実行される。変形形態は、別法として又は追加的に、第一及び／又は第二の固定要素５ａ、５ｂにもそのような付勢機構を備えていてもよい。特に第一の固定要素にも第二の固定要素５ａ、５ｂにも備えられた付勢機構は、同じ作用をもたらすように形成されていてもよい。すなわち固定要素５ａ、５ｂはこの場合共通の付勢機構を備えており、これは例えば共通のばね要素を使用して実現可能である。
【００２１】
図１からはさらに、３つの固定要素５ａ、５ｂ、５ｃがそれぞれ固定フックとして実質的にＵ字型の形状に形成されており、これらがティッシュボックス７を固定するためにそれぞれ、２つの弓状アーム３ａ、３ｂと基体２との共通の前面６から突出していることがわかる。
【００２２】
図２は、前述の保持装置１を備えた本発明に係るアセンブリ１３の背面図であり、この保持装置にティッシュボックス７が固定されている。このアセンブリは、おおよその輪郭が模式的に示されているアダプタ要素８を備え、これにより保持装置１を取外し可能に車両シート１０のヘッドレストバー９に固定可能である。保持装置１は、その第一の側面６の反対側面にある第二の側面１２に取り付けられている第一の取付要素（図１では概略が示され、符号１１が付されている）を含む。第一の取付要素１１に対して補完的な第二の取付要素は、第一の取付要素１１に対応してアダプタ要素８に備えられている（図示せず）。第一の取付要素１１及び第二の取付要素は、ここではクリップ接続を形成している。アダプタ要素８はピンの形に形成され、このピンは別のクリップ接続により、上述のヘッドレストバー９に固定され得る。アダプタ要素８に備えられた第二の取付要素は、ここで示された保持装置１の取付けだけでなく、別の適切な構成部品の固定にも適している。
【図１】
2017503697.tif 000003
【図２】
2017503697.tif 000004
【国際調査報告】
2017503697.tif 000005
2017503697.tif 000006
2017503697.tif 000007
2017503697.tif 000008
2017503697.tif 000009
2017503697.tif 000010